(57)【要約】【課題】  縫合糸で胃壁などを固定する生体用縫合具並びに生体用縫合方法において、その操作性を改善する。【解決手段】  胃壁固定具１の本体部１０が、保持筒１１と、当該保持筒１１の前端近傍に設けられたホルダ部１２と、当該ホルダ部１２に保持された第１中空穿刺針１４ａ，１４ｂ及び第２中空穿刺針１５ａ，１５ｂ、縫合糸１７ａ，１７ｂを中空穿刺針１４ａ，１４ｂの先端側に送り込む糸送り機構２０、縫合糸１７ａ，１７ｂを中空穿刺針１５ａ，１５ｂの先端から引き入れる引抜具３０などから構成される。縫合糸１７ａ，１７ｂの先端部には、引抜具３０に吸着させる挿通体１８ａ，１８ｂが取り付けられている。引抜具３０は、ロッド部３１ａ，３１ｂを備えその各先端部には、吸着体３３ａ，３３ｂが設けられている。挿通体１８ａ，１８ｂ及び吸着体３３ａ，３３ｂは、互いに引き付け合う磁石を備える。【選択図】  図２
2006025932.tif 000002
【特許請求の範囲】
【請求項１】
縫合糸の先端部を生体の縫合対象部に挿入する挿入手段と、
挿入された前記縫合糸の先端部を縫合対象部内で吸着する吸着手段と、
前記縫合糸吸着手段で吸着した縫合糸の先端部を前記縫合対象部から引き出す引出手段とを備えることを特徴とする生体用縫合具。
【請求項２】
各々が内部通路を有し、併設姿勢で縫合対象部を穿刺する第１中空穿刺針及び第２中空穿刺針と、
縫合糸に連結され、穿刺前には前記第１中空穿刺針の内部通路内に収納されており前記第２中空穿刺針の先端から通路内に挿入可能な挿通体と、
前端が前記第２中空穿刺針から露出した状態にあるとき、前記押出手段で押し出された前記挿通体を吸着する吸着体とを備えることを特徴とする請求項１記載の生体用縫合具。
【請求項３】
前記挿通体及び前記吸着体の少なくとも一方は磁石であることを特徴とする請求項２記載の生体用縫合具。
【請求項４】
前記挿通体及び前記吸着体は、静電気によって互いに引き合う性質を有するもので構成されていることを特徴とする請求項２記載の生体用縫合具。
【請求項５】
先端が前記第２中空穿刺針の内部通路先端側から露出した状態にある前記吸着体に、
前記第１中空穿刺針から押し出された前記挿通体を接近させる接近手段を備えることを特徴とする請求項２記載の生体用縫合具。
【請求項６】
第１中空穿刺針及び第２中空穿刺針を併設姿勢で保持するホルダを備えることを特徴とする請求項２記載の生体用縫合具。
【請求項７】
前記挿通体を前記第１中空穿刺針の内部通路先端から外方へ押し出す押出手段と、
前記挿通体を吸着した状態にある前記吸着体を、前記第２中空穿刺針の先端から内部通路に引き込む引込手段とを備えることを特徴とする請求項２記載の生体用縫合具。
【請求項８】
前記押出手段は、
前記縫合糸を挿通させる内部通路を有すると共に前記第１中空穿刺針の内部通路をスライドして前記挿通体の後端に当接し当該挿通体を第１中空穿刺針の内部通路から先端側に押し出すスライド棒を有することを特徴とする請求項７記載の生体用縫合具。
【請求項９】
前記スライド棒の前端部は、
弾性体で形成されていることを特徴とする請求項８記載の生体用縫合具。
【請求項１０】
前記スライド棒は、
その先端部が前記第１中空穿刺針の先端から突出されるときに、前記第２中空穿刺針の先端側に屈曲する性質を有することを特徴とする請求項９記載の生体用縫合具。
【請求項１１】
穿刺前において、前記縫合糸は、前記挿通体に連結される近傍箇所が折り曲げられた状態で、第１中空穿刺針内に収納されていることを特徴とする請求項２記載の生体用縫合具。
【請求項１２】
前記挿通体は、棒状であってその一端部に前記縫合糸が接続されていることを特徴とする請求項９記載の生体用縫合具。
【請求項１３】
前記挿通体は、
円の一部が切り欠かれた断面形状を有することを特徴とする請求項１２記載の生体用縫合具。
【請求項１４】
前記挿通体の一端部は筒状に形成され、
前記縫合糸は、当該一端部の筒内で前記挿通体に接合され、
前記縫合糸における折り曲げ部分は、前記挿通体に接合された箇所を中心に揺動可能な状態で前記一端部の筒内空間に収納されていることを特徴とする請求項１２記載の生体用縫合具。
【請求項１５】
前記一端部の筒壁には、当該折り曲げ部分が入り込む切り込みが形成されていることを特徴とする請求項１４記載の生体用縫合具。
【請求項１６】
縫合糸の先端部を生体の縫合対象部に挿入する挿入ステップと、
挿入された縫合糸の先端部を吸着する吸着ステップと、
前記吸着手段で吸着した縫合糸の先端部を前記縫合対象部から引き出す引出ステップとを備えることを特徴とする生体用縫合方法。
【請求項１７】
各々が内部通路を有する第１中空穿刺針及び第２中空穿刺針を、生体の縫合対象部に併設姿勢で穿刺する穿刺ステップと、
前記穿刺ステップの後に、縫合糸に連結された挿通体を、前記第１中空穿刺針の内部通路内から先端側に押し出す押出ステップと、
前記挿通体を吸着する吸着体を、その前端が第２中空穿刺針の先端から露出するように配置する配置ステップと、
前記押出ステップで押し出された挿通体を、前記配置ステップで配置された吸着体に接近させることによって吸着させる接近ステップと、
前記挿通体を吸着した状態にある前記吸着体を、前記第２中空穿刺針の先端から内部通路に引き込む引込ステップとからなることを特徴とする生体用縫合方法。
【発明の詳細な説明】
【技術分野】
【０００１】
本発明は、生体の縫合対象部を縫合する生体用縫合具及び生体用縫合方法に関し、特に腹壁及び胃壁を縫合糸で縫合するための胃壁固定具及び胃壁固定方法に関する。
【背景技術】
【０００２】
胃瘻用カテーテルを患者に装着する際に、縫合糸で腹壁と胃壁とを縫合して胃壁を一時的に腹壁に固定し、その後に腹壁と胃壁とを穿刺して貫通孔を形成し、その貫通孔に胃瘻用カテーテルが装着されるのが一般的である。
そして、縫合対象部である胃壁及び腹壁を縫合するための縫合具がいろいろ開発されている。
【０００３】
例えば特許文献１には、縫合糸が挿入される内部通路を有する中空の縫合糸挿入用穿刺針と、それと平行に配置され、縫合糸を把持するために使用される中空の縫合糸把持用穿刺針と、その縫合糸把持用穿刺針内に摺動可能に挿入されるスタイレットと、縫合糸挿入用穿刺針と縫合糸把持用穿刺針とをそれぞれの基端部において固定する固定部材とからなる縫合具において、スタイレットの先端に、縫合糸把持用穿刺針の内部通路に収納可能な弾性材料製の環状部材を備え、その環状部材が縫合糸把持用穿刺針の先端から露出された状態において縫合糸挿入用穿刺針の中心軸またはその延長線が環状部材の内部を通過するように縫合糸挿入用穿刺針に向かって延びるように構成されたものが開示されている。
【０００４】
上記縫合具を用いれば、縫合糸挿入用穿刺針と縫合糸把持用穿刺針とを、腹壁及び胃壁に穿刺し、スタイレットと環状部材とを縫合糸把持用穿刺針内の後端から挿入して、環状部材を縫合糸把持用穿刺針の先端から露出させ、縫合糸を縫合糸挿入用穿刺針内の後端から挿入して、当該縫合糸の一部を縫合糸挿入用穿刺針の先端から露出させて当該縫合糸を環状部材で捕捉させ、縫合糸把持用穿刺針内にスタイレットを後退させ、縫合糸挿入用穿刺針と縫合糸把持用穿刺針とスタイレットと環状部材とを一体的に後退させ、縫合糸の先行部を体外に引き出すことによって、縫合対象部である胃壁及び腹壁を縫合することができる。
【特許文献１】特公平６−２４５３３号公報
【発明の開示】
【発明が解決しようとする課題】
【０００５】
上記のような縫合具を用いて縫合対象部を縫合する場合、胃内で縫合糸が環状部材の中を通過するように、体外から操作して縫合糸の先端が通過する位置に環の位置を合わせる必要があるが、その操作は操作者にとって難しい場合もある。
そこで、本発明は、縫合糸で縫合対象部を縫合する生体用縫合具及び生体用縫合方法において、その操作性を改善することを目的とする。
【課題を解決するための手段】
【０００６】
上記目的を達成するため、本発明にかかる生体用縫合具及び生体用縫合方法においては、縫合糸の先端部を生体の縫合対象部に挿入し、挿入された縫合糸の先端部を縫合対象部内で吸着し、吸着手段で吸着した縫合糸の先端部を縫合対象部から引き出すこととした。
より具体的には、生体用縫合具においては、各々が内部通路を有し、併設姿勢で縫合対象部を穿刺する第１中空穿刺針及び第２中空穿刺針と、縫合糸に連結され、穿刺前には第１中空穿刺針の内部通路内に収納されており第２中空穿刺針の先端から通路内に挿入可能な挿通体と、前端が第２中空穿刺針から露出した状態にあるとき、押出手段で押し出された挿通体を吸着する吸着体とを設けることとした。
【０００７】
また、胃壁固定方法においては、各々が内部通路を有する第１中空穿刺針及び第２中空穿刺針を、生体の縫合対象部に併設姿勢で穿刺する穿刺ステップと、穿刺ステップの後に、縫合糸に連結された挿通体を、第１中空穿刺針の内部通路内から先端側に押し出す押出ステップと、挿通体を吸着する吸着体を、その前端が第２中空穿刺針の先端から露出するように配置する配置ステップと、押出ステップで押し出された挿通体を、配置ステップで配置された吸着体に接近させることによって吸着させる接近ステップと、挿通体を吸着した状態にある吸着体を、第２中空穿刺針の先端から内部通路に引き込む引込ステップとを設けることとした。
【０００８】
ここで、挿通体及び吸着体の一方又は両方を磁石で形成することが好ましい。あるいは、挿通体及び吸着体を、静電気によって互いに引き合う性質を有するもので構成してもよい。
上記胃壁固定具において更に、先端が第２中空穿刺針の内部通路先端側から露出した状態にある吸着体に、第１中空穿刺針から押し出された挿通体を接近させる手段を設けることが好ましい。
【０００９】
上記胃壁固定具において、第１中空穿刺針及び第２中空穿刺針を併設姿勢で保持するホルダを設けること、また、挿通体を第１中空穿刺針の内部通路先端から外方へ押し出す押出手段と、挿通体を吸着した状態にある吸着体を、第２中空穿刺針の先端から内部通路に引き込む引込手段を設けることが好ましい。
上記押出手段としては、縫合糸を挿通させる内部通路を有すると共に第１中空穿刺針の内部通路をスライドして挿通体の後端に当接し当該挿通体を第１中空穿刺針の内部通路から先端側に押し出すスライド棒を用いることが好ましい。
【００１０】
このスライド棒の前端部を、弾性体で形成してもよい。
上記のように押し出された挿通体を吸着体に接近させるために、スライド棒として、その先端部が第１中空穿刺針の先端から突出されるときに、第２中空穿刺針の先端側に屈曲する性質を有するものを用いてもよい。あるいは、穿刺前において、縫合糸を、挿通体に連結される近傍箇所で折り曲げられた状態で、第１中空穿刺針内に収納してもよい。
【００１１】
また、挿通体を棒状に形成し、その一端部に縫合糸を接続することも好ましい。ここで、挿通体の断面形状を、円の一部が切り欠かれた形状とすることが好ましい。また、挿通体の一端部を筒状に形成し、縫合糸を、当該一端部の筒内で挿通体に接合し、縫合糸における折り曲げ部分を、挿通体に接合された箇所を中心に揺動可能な状態で上記一端部の筒内空間に収納することも好ましい。
【００１２】
また、その一端部の筒壁に、折り曲げ部分が入り込む切り込みを形成することも好ましい。
【発明の効果】
【００１３】
上記胃壁固定具並びに胃壁固定方法によれば、腹壁及び胃壁を、第１中空穿刺針及び第２中空穿刺針で穿刺し、挿通体を第１中空穿刺針の内部通路から先端側に押し出すとともに、吸着体の前端を第２中空穿刺針から露出した状態にし、押出手段で押し出された挿通体を吸着体に近づければ、挿通体は吸着体に吸着される。
ここで、胃内で挿通体と吸着体とを接近させるだけで挿通体が吸着体に吸着されるので、挿通体と吸着体とを正確に位置合わせしなくてもよく、比較的操作が容易である。
【００１４】
そして、挿通体を吸着した状態にある吸着体を、第２中空穿刺針の先端から内部通路に引き込み、第１中空穿刺針及び第２中空穿刺針を腹壁から抜き取れば、縫合糸が腹壁及び胃壁を貫通して胃内に挿入され、再び胃壁及び腹壁を貫通して体外に抜け出る状態となる。
挿通体及び吸着体の一方または両方を磁石で形成すれば、その磁力によって挿通体が吸着体に強く吸着される。従って、縫合対象部内で挿通体を吸着体に吸着させるのも容易である。
【００１５】
上記胃壁固定具において更に、第１中空穿刺針及び第２中空穿刺針を併設姿勢で保持するホルダを設ければ、操作中に第１中空穿刺針と第２中空穿刺針を穿刺する操作などを安定して行なうことができる。
縫合糸を挿通させる内部通路を有すると共に第１中空穿刺針の内部通路をスライドして挿通体の後端に当接し挿通体を第１中空穿刺針の内部通路から先端側に押し出すスライド棒を用いれば、挿通体を第１中空穿刺針の内部通路から先端側に押し出すことが容易にできる。このスライド棒の前端部を弾性体で形成すれば、縫合糸がスライド棒の前端部に引っ掛かるのが抑えられる。
【００１６】
また、スライド棒として、その先端部が前記第１中空穿刺針の先端から突出されるときに、第２中空穿刺針の先端側に屈曲する性質を有するものを用いれば、第１中空穿刺針から押し出された挿通体を吸着体に接近させることができる。
あるいは、穿刺前において、縫合糸を、挿通体に連結される近傍箇所で折り曲げられた状態で、第１中空穿刺針内に収納しておけば、挿通体を第１中空穿刺針の内部通路から先端側に押し出して再び引き込むことによって、当該折り曲げ部分を第１中空穿刺針の先端部分で開き、第２中空穿刺針の先端から露出して置かれている吸着体に挿通体を接近させることができる。
【００１７】
更に、挿通体を棒状に形成し、その一端部に縫合糸を接続すれば、折り曲げ部分を第１中空穿刺針の先端部分で開くことによって、当該挿通体を上記一端部を中心に回転させて他端部を吸着体に接近させることができる。
ここで、挿通体の断面を、円の一部が切り欠かれた形状にすれば、この切り欠き部分では、第１中空穿刺針の内壁と挿通体との隙間が大きくなるので、縫合糸が通過するためのスペースが確保できる。
【００１８】
また、挿通体の一端部を筒状に形成し、縫合糸を、当該一端部の筒内で挿通体に接合し、縫合糸における折り曲げ部分を、挿通体に接合された箇所を中心に揺動可能な状態で上記一端部の筒内空間に収納しておけば、折り曲げ部分を第１中空穿刺針の先端部分で開く際に、当該第１中空穿刺針の先端部分に挿通体の筒壁が接触するので、第１中空穿刺針の先端に縫合糸が押し付けられる力が軽減される。従って、縫合糸が第１中空穿刺針の先端で切断されるのを回避できる。
【００１９】
また、その一端部の筒壁に、折り曲げ部分が入り込む切り込みを形成しておけば、折り曲げ部分が揺動できる範囲が広がるので、折り曲げ部分が第２中空穿刺針の先端部を通過するときに、当該折り曲げ部分近傍の縫合糸が当該先端部に引っ掛りにくくなる。
【発明を実施するための最良の形態】
【００２０】
以下、本発明の一実施形態として、胃壁を腹壁に縫合するための胃壁固定具並びに胃壁固定方法について説明するが、本発明は、胃壁を腹壁に縫合する場合に限らず、縫合糸の先端を、生体の縫合対象部の中に挿入した後に縫合対象部の外に引き出すことによって、縫合対象部を縫合する場合に広く適用でききる。
〔実施の形態１〕
図１は、実施の形態１にかかる胃壁固定具１の外観を示す斜視図である。
【００２１】
胃壁固定具１は、本体部１０と、当該本体部１０を腹壁上において支持したり穿刺針をカバーしたりする安全支持機構４０とから構成されている。
本体部１０は、保持筒１１と、当該保持筒１１の前端近傍において保持筒１１の径方向に広がるように設けられたホルダ部１２と、当該ホルダ部１２によって併設状態で保持された第１中空穿刺針１４ａ，１４ｂ及び第２中空穿刺針１５ａ，１５ｂ、縫合糸１７ａ，１７ｂを中空穿刺針１４ａ，１４ｂの先端側に送り込む糸送り機構２０、縫合糸１７ａ，１７ｂを中空穿刺針１５ａ，１５ｂの先端から引き入れるための引抜具３０などから構成されている。
【００２２】
なお、保持筒１１の内部通路には、安全支持機構４０を構成する支持棒４１がスライド可能な状態で挿入されている。
縫合糸としては、腰の強い糸、例えばナイロン糸を用いることが好ましい。
（本体部１０の構成）
第１中空穿刺針１４ａと第２中空穿刺針１５ａとが縫合糸１７ａを挿通させる穿刺針セットを構成し、第１中空穿刺針１４ｂと第２中空穿刺針１５ｂとが縫合糸１７ｂを挿通させる穿刺針セットを構成している。そして、保持筒１１は、２つの穿刺針セットの中間に位置している。
【００２３】
図２は、本体部１０を第１中空穿刺針１４ａ及び第２中空穿刺針１５ａを含む平面に沿って切断した断面図である。
ホルダ部１２は、中心軸Ｘ方向に間隔をあけて併設された板状のホルダ部材１２１及びホルダ部材１２２を有し、両ホルダ部材１２１，１２２の間には、両ホルダ部材１２１，１２２と保持筒１１との接合を補強する補強部材１２３が固着されている。
【００２４】
各中空穿刺針１４ａ，１４ｂ，１５ａ，１５ｂは、その後端部分がホルダ部材１２１を貫通した状態でこれらに接合され、中央寄り部分がホルダ部材１２２を貫通した状態でこれらに接合されており、それによって、各中空穿刺針１４ａ，１４ｂ，１５ａ，１５ｂは、保持筒１１の中心軸Ｘに対して平行に安定して保持されている。
また各中空穿刺針１４ａ，１４ｂ，１５ａ，１５ｂの前端は、端面が中心軸Ｘに対して傾斜しており、患者の腹壁および胃壁を穿刺することができるよう鋭利になっている。
【００２５】
第１中空穿刺針１４ａ，１４ｂの内部は、後端側から先端側へ縫合糸１７ａ，１７ｂを挿通させる通路となっている。そして、縫合糸１７ａ，１７ｂの先端部には、引抜具３０に吸着させる挿通体１８ａ，１８ｂ（図１では中空穿刺針１４ａ、１４ｂの中にあって見えない。図２参照）が取り付けられている。この挿通体１８ａ，１８ｂについては後で詳述する。
【００２６】
一方、引抜具３０は、直線状のロッド部３１ａ，３１ｂと、ロッド部３１ａ，３１ｂの後端側どうしを連結する連結部３２とから構成されている。中空穿刺針１５ａ、１５ｂの内部通路には、その後端側から、引抜具３０のロッド部３１ａ，３１ｂがスライド可能に挿入されている。
また、ロッド部３１ａ，３１ｂの各先端部には、吸着体３３ａ，３３ｂ（図１では中空穿刺針１５ａ、１５ｂの中にあって見えない。図２参照）が設けられている。ここで、上記挿通体１８ａ，１８ｂ及び吸着体３３ａ，３３ｂは、互いに引き付け合う性質を有するものが用いられている。具体的には、挿通体１８ａ，１８ｂ並びに吸着体３３ａ，３３ｂには磁石が用いられる。
【００２７】
なお、挿通体１８ａ，１８ｂは、第１中空穿刺針１４ａ、１４ｂの内部通路内に収納され前方にスライド可能であり、吸着体３３ａ，３３ｂは、第２中空穿刺針１５ａ、１５ｂの前端から内部通路内にスライド可能である。
保持筒１１及びホルダ部１２は合成樹脂成形品であり、各中空穿刺針１４ａ，１４ｂ，１５ａ，１５ｂは金属管で形成され、引抜具３０は金属線で形成されている。
【００２８】
上記構成の本体部１０において、縫合糸１７ａ，１７ｂの先端部には、挿通体１８ａ，１８ｂが取り付けられていると共に、ロッド部３１ａ，３１ｂの各先端部には、吸着体３３ａ，３３ｂが設けられているので、第１中空穿刺針１４ａ，１４ｂ及び第２中空穿刺針１５ａ，１５ｂを胃内まで穿刺した後に、挿通体１８ａ，１８ｂを第１中空穿刺針１４ａ，１４ｂの先端から胃内に押し出すと共に、吸着体３３ａ，３３ｂを第２中空穿刺針１５ａ，１５ｂの先端から露出させ、胃内で挿通体１８ａ，１８ｂと吸着体３３ａ，３３ｂと近接させることによって、挿通体１８ａ，１８ｂを吸着体３３ａ，３３ｂに吸着させることができる。
【００２９】
そして、挿通体１８ａ，１８ｂを吸着体３３ａ，３３ｂに吸着させた状態で、引抜具３０を後方に引くと、吸着体３３ａ，３３ｂとともに縫合糸１７ａ，１７ｂが第２中空穿刺針１５ａ，１５ｂの前端から引き込まれる。
中空穿刺針１４ａ，１４ｂ，１５ａ，１５ｂを腹壁から抜き取ることによって、縫合糸１７ａ，１７ｂが、腹壁の外から胃内に入り、Ｕターンして腹壁外に抜け出るので、り、各縫合糸１７ａ，１７ｂを腹壁外に出ている部分どうし結合することによって、縫合糸による胃壁固定が完了する。
【００３０】
以下、胃壁固定具１が備える各機構並びに縫合方法について更に詳細に説明する。
（挿通体１８ａ，１８ｂを中空穿刺針１４ａ，１４ｂの先端から押し出す機構）
第１中空穿刺針１４ａ、１４ｂの内部通路には、中空細管状のスライド棒１６ａ，１６ｂがスライド可能な状態で挿入されており、縫合糸１７ａ，１７ｂは、そのスライド棒１６ａ，１６ｂの内部通路を貫通している。そして、スライド棒１６ａ，１６ｂの後端には、中空のヘッド部材１９ａ，１９ｂが装着され、その中空部を、縫合糸１７ａ，１７ｂがスライド可能な状態で貫通している。スライド棒１６ａ，１６ｂには金属管を用いることが好ましい。
【００３１】
このヘッド部材１９ａ，１９ｂは、第１中空穿刺針１４ａ、１４ｂの内部には入り込めず、スライド棒１６ａ，１６ｂがそれ以上前方に進むのを防ぐストッパーとしての働きをなす。またヘッド部材１９ａ，１９ｂは、後述する把持弁体２３２ａ，２３２ｂの細孔に差し込みやすいように先細り形状となっている。ヘッド部材１９ａ、１９ｂには合成樹脂成形品を用いることが好ましい。
【００３２】
このようなスライド棒１６ａ，１６ｂを備えることにより、操作者はこのスライド棒１６ａ，１６ｂをスライドさせて第１中空穿刺針１４ａ、１４ｂの内部に収納された挿通体１８ａ，１８ｂを前方に押し出すことができる。
なお、スライド棒１６ａ，１６ｂの形状は必ずしも中空細管状でなくてもよく、第１中空穿刺針１４ａ、１４ｂの内部通路を縫合糸１７ａ，１７ｂが挿通でき且つスライド棒１６ａ，１６ｂがスライドできれば、スライド棒１６ａ，１６ｂの形状は中実棒状であってもよい。
【００３３】
（糸送り機構２０）
ホルダ部材１２２には、第１中空穿刺針１４ａ，１４ｂの後方に伸びるアーム２１ａ，２１ｂが取り付けられ、このアーム２１ａ，２１ｂの後端部には、中空細管２２ａ，２２ｂが、第１中空穿刺針１４ａ，１４ｂの後方に延長線上に位置するように取り付けられている。
【００３４】
この中空細管２２ａ，２２ｂは、その内部通路を貫通する縫合糸１７ａ，１７ｂをスライド可能に保持しており、これによって、縫合糸１７ａ，１７ｂは、スライド棒１６ａ，１６ｂの後端と中空細管２２ａ，２２ｂとの間に架け渡された状態でスライド可能に保持されている。
糸送り機構２０は、このように第１中空穿刺針１４ａ，１４ｂの後方で架け渡された縫合糸１７ａ，１７ｂを、把持部で把持し、その把持部を中空穿刺針１４ａ，１４ｂに後端に接近させる方向にスライドさせることによって、第１中空穿刺針１４ａ，１４ｂの前方に送り込む機構である。以下、その具体例について説明する。
【００３５】
図１，２に示すように、中空細管２２ａ，２２ｂとヘッド部材１９ａ，１９ｂとの間において、縫合糸１７ａ，１７ｂを貫通するようにスライド板２３が装着されている。
スライド板２３は、薄板２３１に、縫合糸１７ａ，１７ｂを把持するための把持弁体２３２ａ，２３２ｂが接合されて構成されている。
薄板２３１は、操作者が手で掴みやすい大きさを有し、縫合糸１７ａ，１７ｂを貫通させる孔の他に、保持筒１１、アーム２１ａ，２１ｂを貫通させる孔も開設され、保持筒１１、アーム２１ａ，２１ｂに沿ってスライドできるようになっている。
【００３６】
一方、把持弁体２３２ａ，２３２ｂは、縫合糸１７ａ，１７ｂとの摩擦係数が大きい弾性材料（例えば、ゴム、エラストマー材料）で形成され、縫合糸１７ａ，１７ｂが貫通できる細孔が開設され、当該細孔を縫合糸１７ａ，１７ｂが直接貫通している状態では、縫合糸１７ａ，１７ｂが把持弁体２３２ａ，２３２ｂ細孔の内壁面で挟み付けられて把持される。
【００３７】
従って、把持弁体２３２ａ，２３２ｂが縫合糸１７ａ，１７ｂを把持している把持状態で、薄板２３１をスライドさせれば、把持弁体２３２ａ，２３２ｂとともに縫合糸１７ａ，１７ｂも、当該スライド方向に搬送される。一方、上記細孔に、中空細管２２ａ，２２ｂ或はヘッド部材１９ａ，１９ｂが介挿されている状態では、把持弁体２３２ａ，２３２ｂの縫合糸１７ａ，１７ｂに対する把持は解除される。従って、この解除状態では、縫合糸１７ａ，１７ｂはスライド板２３に拘束されることなく互いにスムースにスライドできる。
【００３８】
よって、複数のスライド板２３が装着されている場合は、順次１枚づつ把持状態にしてそのスライド板２３をスライドさせる操作を繰り返すことによって、合計スライド距離分だけ縫合糸１７ａ，１７ｂを搬送することができる。
なお図２に示す例では、３枚のスライド板２３が装着されているが、取り付けるスライド板２３の枚数は任意であって、その枚数が多いほど縫合糸１７ａ，１７ｂを搬送できる距離が大きくなる。
【００３９】
図１１は、スライド板２３の機能を説明する図である。この図では、３枚のスライド板２３の中、前から２番目のスライド板２３が把持状態となっており、前から１番目のスライド板２３は、把持弁体２３２ａ，２３２ｂがヘッド部材１９ａ、１９ｂに差し込まれて解除状態になり、前から３番目のスライド板２３は、把持弁体２３２ａ，２３２ｂが中空細管２２ａ，２２ｂに差し込まれて解除状態となっている。
【００４０】
従って、この状態で２番目のスライド板２３を前方にスライドさせ、ヘッド部材１９ａ、１９ｂに差し込み、更に３番目のスライド板２３を中空細管２２ａ，２２ｂから外して把持状態にし、前方にスライドさせれば、２枚のスライド板２３がスライドした合計距離分だけ縫合糸１７ａ，１７ｂが前方に搬送される。
なお、ここでは糸送り機構２０の具体例として、弾性材料からなる把持弁体２３２ａ，２３２ｂで縫合糸１７ａ，１７ｂを把持し、この把持弁体２３２ａ，２３２ｂを薄板２３１に取り付けたスライド板２３で、縫合糸１７ａ，１７ｂを送り出す方法を説明したが、縫合糸１７ａ，１７ｂを把持する把持部は、把持弁体２３２ａ，２３２ｂのようなものに限られず、例えば、クリップを用いることもできる。この場合も、当該クリップで縫合糸１７ａ，１７ｂをスライド板２３と同様のスライド部材に取り付けておけば、クリップで縫合糸１７ａ，１７ｂを把持してスライド部材をスライドさせれば、縫合糸１７ａ，１７ｂを同時に送り出すことができる。
【００４１】
（挿通体１８ａ，１８ｂ及び吸着体３３ａ，３３ｂの詳細構成）
図３（ａ），（ｂ）は、縫合糸１７ａの先端に付けられた挿通体１８ａの構成を示す斜視図であり、図４はその断面図である。なお、挿通体１８ｂは図示しないが挿通体１８ａと同様の構成である。
挿通体１８ａ，１８ｂは、中空筒の軸に沿って切り欠かれてスリット１８６が形成された切欠金属チューブ１８１に、スティック状の磁石１８２が嵌め込まれて構成され、その外観も棒状である。上記磁石１８２は例えば、直径１ｍｍ、長さ５ｍｍのネオジム磁石であって、切欠金属チューブ１８１の内部空間内にはめ込まれている。ここで、磁石１８２は切欠金属チューブ１８１内の先端部１８４寄りにはめ込まれており、基端部１８５（先端部１８４と反対側の端部）側では内部空間が空洞になっている。
【００４２】
上記スリット１８６は、縫合糸１７ａ、１７ｂが通ることができるように、縫合糸１７ａ、１７ｂの径よりも広い幅で形成されてている。
また、縫合糸１７ａは、スリット１８６から切欠金属チューブ１８１の中に挿入され、その挿入部分が折り曲げられ、その先端部分１７２が切欠金属チューブ１８１の基端部１８５に接着されている。
【００４３】
また、図３（ｂ）に示すように、切欠金属チューブ１８１の基端部１８５においては、上記切り欠きと対向する位置に、中空筒の軸に沿ってスリット１８３が形成されている。
なお、縫合糸１７ａの折り曲げ部１７１は、切欠金属チューブ１８１における基端部１８５の中に納まるように、その端面よりも内側に位置している。また、縫合糸１７ａはその先端部分１７２だけが切欠金属チューブ１８１の内面に接着剤で接着され、縫合糸１７ａの柔軟性によって折り曲げ部１７１が、基端部１８５の内部空間内を揺動できるようになっている。
【００４４】
図２に示すように、挿通体１８ａ，１８ｂは、その基端部１８５を、第１中空穿刺針１４ａ，１４ｂの先端側に向け、折り曲げ部１７１が鋭角に折れ曲げられた状態で、第１中空穿刺針１４ａ，１４ｂの中に収納されている。
なお、縫合糸１７ａ，１７ｂは、第１中空穿刺針１４ａ，１４ｂの内周面と挿通体１８ａ，１８ｂとの間の隙間を通過することになるが、上記のように切欠金属チューブ１８１には一部が切り欠かれてスリット１８６が形成されているので、第１中空穿刺針１４ａ，１４ｂの内径と、切欠金属チューブ１８１の外径とが同程度であっても、上記切り欠かれた部分では、第１中空穿刺針１４ａ，１４ｂの内周面との間に、縫合糸１７ａ，１７ｂが通過する隙間空間が形成されることになる。
【００４５】
図５は、吸着体３３ａの断面図である。なお、吸着体３３ｂは図示しないが吸着体３３ａと同様の構成である。
引抜具３０における吸着体３３ａ，３３ｂは、図５に示すように、金属チューブ３３１における内部空間の先端寄りにスティック状の磁石３３２が嵌め込まれ、金属チューブ３３１の基端側からロッド部３１ａ，３１ｂが挿入され固定されて構成されている。この磁石３３２と上記磁石１８２とは、先端側どうしが互いに引き付け合うよう逆極性となっている。
【００４６】
なお、第２中空穿刺針１５ａ、１５ｂの先端部には、第１中空穿刺針１４ａ、１４ｂから遠い側の壁面に逃げ孔１５２が形成されている。この逃げ孔１５２は、当該先端部を折り曲げ部１７１が通過するときに、第２中空穿刺針１５ａ、１５ｂの内側先端部１５１に縫合糸１７ａ，１７ｂが引っかかるのを防止する働きをなす。
（縫合糸１７ａ，１７ｂをひねる機構）
アーム２１ａ，２１ｂの後方には、縫合糸１７ａ，１７ｂを回転させるための回転つまみ５０ａ，５０ｂが、当該縫合糸１７ａ，１７ｂに取り付けられている。
【００４７】
この回転つまみ５０ａ，５０ｂは、中空円柱状のつまみ部材５１ａ，５１ｂに把持弁体５２ａ，５２ｂが接合されて構成されている。
つまみ部材５１ａ，５１ｂは、その中空部を縫合糸１７ａ，１７ｂが滑らかにスライドできる樹脂で形成されているが、把持弁体５２ａ，５２ｂは、縫合糸１７ａ，１７ｂとの摩擦係数が大きい弾性材料で形成され、縫合糸１７ａ，１７ｂが貫通でき且つ締め付けられるように、細孔が開設されている。
【００４８】
上記構成によって、上記細孔を縫合糸１７ａ，１７ｂが直接貫通している状態（把持弁体５２ａ，５２ｂが中空細管２２ａ，２２ｂから外れた状態）では、把持弁体５２ａ，５２ｂが弾力によって縫合糸１７ａ，１７を挟みつけて把持する。従って、その状態で回転つまみ５０ａ，５０ｂを回転させることによって、縫合糸１７ａ，１７ｂをひねることができる。
【００４９】
一方、把持弁体５２ａ，５２ｂの細孔に中空細管２２ａ，２２ｂを刺した状態では、縫合糸１７ａ，１７ｂは、把持弁体５２ａ，５２ｂによる挟みつけ力から解除される。従って、この状態では、縫合糸１７ａ，１７ｂが回転つまみ５０ａ，５０ｂに拘束されることなくスライドできる。
（安全支持機構４０について）
図６は、胃壁固定具１を支持棒４１に沿って切断した断面図であって、特に安全支持機構４０の構成を示すものである。。
【００５０】
上述した支持棒４１は、保持筒１１の前方からスライド可能な状態で挿入されている。上記のように保持筒１１は２つの穿刺針セットの中間に位置しているので、２つの穿刺針セットは、この保持筒１１に挿入されている支持棒４１に対して対称位置に配置されることになる。
この支持棒４１の前端には、腹膜上に押し当てる押当カバー４２が、支持棒４１に対して垂直に取り付けられている。図１に示すように押当カバー４２は、中空穿刺針１４ａ，１４ｂ、１５ａ、１５ｂの各先端をカバーできる形状であって、中空穿刺針１４ａ，１４ｂ、１５ａ、１５ｂの各先端部を前方に突出させる貫通孔４２１〜４２４が開設されている。
【００５１】
また、保持筒１１内における支持棒４１の後側には、弾性体４３が装着され、保持筒１１の後端は蓋部材４４によって塞がれている。この弾性体４３は、圧縮されたときに復元力によって支持棒４１と蓋部材４４とを互いに離間する方向に押圧する働きをなす部材であって、具体的にはコイルばねが用いられている。
また、蓋部材４４には、固定部材４５が固着され、この固定部材４５には、本体部１０に対する支持棒４１の位置をロックするためのロック部材４６が取り付けられている。なお、これら蓋部材４４、固定部材４５、ロック部材４６を挟み込むように、一対の挟持板４９が取り付けられている。
【００５２】
ロック部材４６には、弾性力を有する材料で形成され揺動可能となっている突状部４７を有し、突状部４７の先端には爪部４７１が形成されている。一方、保持筒１１の壁面には、爪部４７１が筒内部に入り込めるように貫通孔１１１が開設され、支持棒４１には、上記爪部４７１が嵌り込む複数個の凹部４８が、中心軸Ｘ方向に並んで設けられている。
またロック部材４６には、操作者が爪部４７１を凹部４８から引き出すための解除レバー４７２も設けられている。
【００５３】
このような構成により、操作者が本体部１０に支持棒４１を押し込むと、弾性体４３が圧縮されて、本体部１０と支持棒４１とが離間する方向に付勢されるが、この付勢力に抗する力を操作者が外から加えることによって、本体部１０に支持棒４１を更に押し込むこともできる。
そして、支持棒４１を本体部１０に押し込むことによって、爪部４７１が凹部４８に嵌まり込んで、保持筒１１に対する支持棒４１の位置がロックされる。一方、操作者が解除レバー４７２を操作して爪部４７１を凹部４８から引き出せば、ロックが解除されるので、保持筒１１に対して支持棒４１をスライドさせることができる。
【００５４】
ここで、支持棒４１には、中心軸Ｘ方向に複数の凹部４８が列設されているので、保持筒１１に対して支持棒４１を複数位置でロックすることができる。従って、複数の凹部４８の中で、爪部４７１を嵌め込む凹部４８を選択することによって、押当カバー４２に対する中空穿刺針１４ａ，１４ｂ，１５ａ，１５ｂの突出量を調整することができる。
（胃壁固定具１で縫合する操作の説明）
上記の胃壁固定具１を用いて腹壁と胃壁とを縫合する方法について説明する。
【００５５】
胃壁固定具１が初期の状態にあるとき、図１，２に示すように、挿通体１８ａ，１８ｂは第１中空穿刺針１４ａ，１４ｂの内部に収納され、吸着体３３ａ，３３ｂも第２中空穿刺針１５ａ，１５ｂの内部に収納されているので、各中空穿刺針１４ａ，１４ｂ，１５ａ，１５ｂの先端部は鋭利な状態となっている。ただし、中空穿刺針１４ａ，１４ｂ，１５ａ，１５ｂの先端は押当カバー４２の前面よりも後方に位置しているので誤穿刺防止される。
【００５６】
胃内に内視鏡を挿入して、胃内部の状態を監視しながら、以下の操作を行なう。
（１）穿刺ステップ：
操作者は、腹壁６０上の縫合しようとする所定位置に押当カバー４２が当接するように、胃壁固定具１を配置する。通常、胃壁６１に胃婁カテーテルを挿入しようとする位置（図７中、矢印Ａ）に支持棒４１の位置を合わせれば、押当カバー４２がほぼ所定位置に位置する。
【００５７】
そして、操作者は、本体部１０の後端部分（図７白抜矢印）を押し込むと、本体部１０が支持棒４１に対して前方にスライドして腹壁６０に近づき、それに伴って、中空穿刺針１４ａ，１４ｂ，１５ａ，１５ｂの先端部分は、押当カバー４２の貫通孔４２１〜４２４を貫通して、更に、腹壁６０及び胃壁６１を穿刺し、中空穿刺針１４ａ，１４ｂ，１５ａ，１５ｂの先端が胃内に達する。このとき弾性体４３は圧縮され支持棒４１を前方に押圧する状態となるが、爪部４７１が凹部４８の位置に達すると、爪部４７１が凹部４８に嵌り込んで、保持筒１１に対する支持棒４１の位置がロックされる。
【００５８】
このように穿刺する際に、解除レバー４７２を操作しながら、最初に１番後端側の凹部４８に爪部４７１を嵌め込み、次に２番目の凹部４８、３番目の凹部４８‥に順次爪部４７１を嵌め込みながら穿刺していけば、中空穿刺針１４ａ，１４ｂ，１５ａ，１５ｂの穿刺深さが段階的に大きくなっていくので、操作者は穿刺深さを容易に制御することができる。
【００５９】
図７は、上記のようにして中空穿刺針１４ａ，１５ａが穿刺されると共にロックされた状態を示している。
この穿刺ステップでは、２組の穿刺針セットが支持棒４１に対して対称位置に配置された状態で、中空穿刺針１４ａ，１４ｂ，１５ａ，１５ｂが、腹壁６０に対して垂直に安定して保持されながら穿刺される。
【００６０】
なお、このとき、挿通体１８ａ，１８ｂや吸着体３３ａ，３３ｂは、中空穿刺針１４ａ，１４ｂ，１５ａ，１５ｂの内部に収納されたままである。
（２）縫合糸を第１中空穿刺針１４ａ，１４ｂから第２中空穿刺針１５ａ，１５ｂに送り込むステップ：
操作者は、引抜具３０を押し込むことによって、図８（ｂ）に示すように吸着体３３ａ，３３ｂの先端部を、中空穿刺針１５ａ，１５ｂの先端から露出させる。
【００６１】
それと共に、操作者はスライド棒１６ａ，１６ｂを前方に押し出すことによって、図８（ｂ）に示すように、挿通体１８ａ，１８ｂとその近傍の縫合糸１７ａ，１７ｂを、中空穿刺針１４ａ，１４ｂの先端から胃内空間に押し出す。なお、スライド棒１６ａ，１６ｂを前方に押し出す際には、操作者が、１番前に位置するスライド板２３を前方にスライドさせれば、２つのスライド棒１６ａ，１６ｂを同時に押し出すことができる。
【００６２】
挿通体１８ａ，１８ｂが胃内空間に押し出されると、折り曲げ部１７１はある程度開くが、折り曲げ癖によって鋭角に保たれている。
なお、ヘッド部材１９ａ，１９ｂが第１中空穿刺針１４ａ，１４ｂの後端に当接すると、スライド棒１６ａ，１６ｂはそれ以上前方にスライドすることはない。
次に、縫合糸１７ａ，１７ｂを後方に引き戻すことによって、挿通体１８ａ，１８ｂの基端部１８５を、第１中空穿刺針１４ａ，１４ｂの先端部まで引き戻す。縫合糸１７ａ，１７ｂを後方に引き戻すには、縫合糸１７ａ及び縫合糸１７ｂを個別に後方に引っ張ってもよいが、上記の１番前に位置するスライド板２３を使って同時に引き戻してもよい。
【００６３】
これによって、基端部１８５が中空穿刺針１４ａ，１４ｂの中に引き込まれようとするが、図９（ａ）に示すように、第１中空穿刺針１４ａ，１４ｂの先端部１４１で基端部１８５が支持されることによって、挿通体１８ａ，１８ｂは図中矢印Ｂの方向（折り曲げ部１７１が開く方向）に回転する。
このとき、第１中空穿刺針１４ａ，１４ｂの先端開口面は、第２中空穿刺針１５ａ，１５ｂの方を向いているので、基端部１８５が先端部１４１で支持されるときに、第２中空穿刺針１５ａ，１５ｂに近い箇所で支持される。従って、挿通体１８ａ，１８ｂは、先端部１８４が上記吸着体３３ａ，３３ｂの先端に近づくように回転する。そして、先端部１８４が上記吸着体３３ａ，３３ｂの先端に近づくと、これらが互いに引っぱり合って結合する。
【００６４】
なお、挿通体１８ａ，１８ｂが上記のように回転する際に、回転面の向きがずれて、先端部１８４が吸着体３３ａ，３３ｂの先端に十分に近づかないような場合には、回転つまみ５０ａ，５０ｂを用いて縫合糸１７ａ，１７ｂをひねることによって、先端部１８４を吸着体３３ａ，３３ｂの先端に近づける。
なお、上記のように、折り曲げ部１７１は、切欠金属チューブ１８１における基端部１８５の中に納まっているので、このステップにおいて、第１中空穿刺針１４ａ，１４ｂの先端部１４１に、切欠金属チューブ１８１の基端部１８５が当接する。従って、縫合糸１７ａ，１７ｂが先端部１４１に強く押し付けられて切断されるのを回避することができる。
【００６５】
次に図９（ｂ），（ｃ）に示すように、操作者がスライド板２３を前方にスライドさせて縫合糸１７ａ，１７ｂを送り出すと共に、引抜具３０を後方に引っぱることによって、吸着体３３ａ，３３ｂに吸着した挿通体１８ａ，１８ｂを第２中空穿刺針１５ａ，１５ｂの先端から中に引き込む。
図１０は、切欠金属チューブ１８１に形成されたスリット１８３の機能を説明する図である。
【００６６】
図１０に示すように、挿通体１８ａ，１８ｂにはスリット１８３が形成されているため、折り曲げ部１７１がスリット１８３に入り込むことができる。
挿通体１８ａ，１８ｂが第２中空穿刺針１５ａ，１５ｂに引き込まれるときに、縫合糸１７ａ，１７ｂの折り曲げ部１７１の近傍部分が中心軸Ｘに対して角度が大きいと、内側先端部１５１に押し付けられて、内側先端部１５１にひっかかっる可能性もあるが、上記のように折り曲げ部１７１がスリット１８３に入り込むと、縫合糸１７ａ，１７ｂの近傍部分の中心軸Ｘに対する角度が小さくなくなるので、第２中空穿刺針１５ａ、１５ｂの内側先端部１５１に引っ掛かりにくくなる。
【００６７】
また、第２中空穿刺針１５ａ、１５ｂの先端部に逃げ孔１５２が形成されているので、折り曲げ部１７１がここを通過するときには逃げ孔１５２に入り込むこともできる。従って、縫合糸１７ａ，１７ｂが内側先端部１５１に引っ掛かるのが更に防止される。
そして、操作者は引抜具３０を後方に引くことによって、挿通体１８ａ，１８ｂを中空穿刺針１５ａ，１５ｂの内部まで挿入する。なお、引抜具３０を更に後方に引き抜いて、挿通体１８ａ，１８ｂを中空穿刺針１５ａ，１５ｂの後端から引っぱりだしてもよい。
【００６８】
ここで、縫合糸１７ａ，１７ｂの送り出し量が少ないと、挿通体１８ａ，１８ｂを中空穿刺針１５ａ，１５ｂの前端側から後端側に引き抜く際に、スライド棒１６ａ，１６ｂの先端部分付近に存在する縫合糸１７ａ，１７ｂが、中空穿刺針１５ａ，１５ｂの方に引っ張られて、スライド棒１６ａ，１６ｂの先端部分や中空穿刺針１４ａ，１４ｂの先端部１４１に引っかかりやすいが、縫合糸１７ａ，１７ｂを前方に十分に送り出しながら引き出しを行なうことによって、そのような引っかかりが発生するのを防止することができる。
【００６９】
図１１では、２番目のスライド板２３を前方にスライドさせて、縫合糸１７ａ，１７ｂを送り出す様子を示している。このように２番目のスライド板２３、更に３番目のスライド板２３前方にスライドさせることによって、縫合糸１７ａ，１７ｂを同時に送り出すことができる。
以上で、縫合糸１７ａ，１７ｂは、腹壁６０の外から、第１中空穿刺針１４ａ，１４ｂ内を通り、胃内空間内に侵入し、Ｕターンして第２中空穿刺針１５ａ，１５ｂ内に挿入される状態になる。
【００７０】
（３）穿刺針を抜くステップ
操作者が解除レバー４７２を押すことによって、爪部４７１を凹部４８から引き出すと、支持棒４１に対するロックが解除され、圧縮されている弾性体４３が伸張しようとする力によって支持棒４１が本体部１０に対して前方に押し出される。
それに伴って、図１２に示されるように、本体部１０が腹壁６０から引き離されて、中空穿刺針１４ａ，１４ｂ，１５ａ，１５ｂが腹壁６０から抜き去られる。
【００７１】
その結果、縫合糸１７ａ，１７ｂが、腹壁６０の外から、腹壁６０と胃壁６１を貫通し、胃内空間内でＵターンして、胃壁６１と腹壁６０を貫通して、腹壁６０の外に退出した状態になる。
また、押当カバー４２は、中空穿刺針１４ａ，１４ｂ，１５ａ，１５ｂの前方に位置して、中空穿刺針１４ａ，１４ｂ，１５ａ，１５ｂの先端部をカバーする。従って、誤穿刺が防止される。
【００７２】
その後、各縫合糸１７ａ，１７ｂにおける腹壁６０から露出した部分１７３，１７４どうしを、リング等で結び合わせる。
以上で、胃壁固定具１を用いた胃壁固定操作が終了し、縫合糸１７ａ，１７ｂで胃壁６１が腹壁６０に固定される。
（胃壁固定具１による効果）
胃内で、挿通体１８ａ，１８ｂを吸着体３３ａ，３３ｂに接近させるだけで、挿通体１８ａ，１８ｂと吸着体３３ａ，３３ｂとが互いに引き合う力によって結合されるので、操作者は、挿通体１８ａ，１８ｂと吸着体３３ａ，３３ｂとの位置合わせをあまり正確にする必要がなく、従って、結合させるための操作が比較的容易である。
【００７３】
また、操作者が挿通体１８ａ，１８ｂを、第１中空穿刺針１４ａ，１４ｂから押し出した後、縫合糸１７ａ，１７ｂを引き戻す操作によって、挿通体１８ａ，１８ｂを吸着体３３ａ，３３ｂに接近させることができるので、挿通体１８ａ，１８ｂを吸着体３３ａ，３３ｂに接近させる操作も簡単である。
操作者は、スライド板２３を操作することによって、２本の縫合糸１７ａ，１７ｂをいっぺんに繰り出すことができるので、縫合糸１７ａ，１７ｂを個々に繰り出す場合のように手間がかからない。
【００７４】
中空穿刺針１４ａ，１４ｂ，１５ａ，１５ｂがホルダ部１２によって併設状態で保持されているので、これら複数の中空穿刺針の相互位置が維持される。また、１回の操作で中空穿刺針１４ａ，１４ｂ，１５ａ，１５ｂをまとめて穿刺したり抜いたりすることもできる。
安全支持機構４０を備えることによって、中空穿刺針１４ａ，１４ｂ，１５ａ，１５ｂが、腹壁６０に対して垂直に安定して保持される。従って、操作者が腹壁上で胃壁固定具１を操作をするときの安定性に優れる。また、穿刺前、及び穿刺針を抜いた後には、中空穿刺針１４ａ，１４ｂ，１５ａ，１５ｂの先端部は押当カバー４２でカバーされるので、誤穿刺を防止することができる。
【００７５】
〔実施の形態２〕
本実施の形態は、スライド棒の先端部分が、弾力性を有する材料で形成されている例である。
本実施の形態２の胃壁固定具１は、上記実施の形態１の胃壁固定具１と同様の構成であるが、スライド棒１６ａ，１６ｂの先端部に、弾性材料からなる部材が装着されている点が異なっている。すなわち、スライド棒１６ａ，１６ｂは、剛性を有する金属で形成されているが、その先端部に弾力性を有する材料からなる弾性管状部材１６１がはめ込まれている。
【００７６】
図１３は、スライド棒１６ａの先端部にはめ込まれた弾性管状部材１６１を示す斜視図である。
弾性材料としては、縫合糸１７ａ，１７ｂに対する摩擦係数の小さいものを用いることが好ましい。
弾性材料の具体例としては、天然ゴム、イソプレンゴム、ブタジエンゴム、スチレン−ブタジエンゴム、ニトリルゴム、クロロプレンゴム、ブチルゴム。アクリルゴム、エチレン−ポロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられ、この中の２種以上を混合して用いることもできる。
【００７７】
図１４は、本実施の形態にかかる縫合糸送り込みステップを説明する図である。
本実施形態では、（２）縫合糸送り込みステップにおいて、挿通体１８ａ，１８ｂを吸着体３３ａ，３３ｂに吸着させるまでは実施の形態１と同様に行なうが、その後、引抜具３０を後方に引っぱって、挿通体１８ａ，１８ｂを中空穿刺針１５ａ，１５ｂの前端側から後端側に引き抜く際には、弾性管状部材１６１を第１中空穿刺針１４ａ，１４ｂの先端部１４１よりも前方に突出させた状態で行なう。
【００７８】
ここで、上記実施の形態１で述べたように、挿通体１８ａ，１８ｂを中空穿刺針１５ａ，１５ｂの前端側から後端側に引き抜く際には、スライド棒１６ａ，１６ｂの先端部分付近に存在する縫合糸１７ａ，１７ｂは、中空穿刺針１５ａ，１５ｂの方に引っ張られるが、本実施形態では、スライド棒１６ａ，１６ｂの先端部分が弾力性を有する材料で形成されているので、当該先端部分が中空穿刺針１５ａ，１５ｂの方向に撓んで、縫合糸１７ａ，１７ｂを中空穿刺針１５ａ，１５ｂの方向に滑らかにガイドする。従って、上記実施の形態１と比べて、縫合糸１７ａ，１７ｂが、第１中空穿刺針１４ａ，１４ｂやスライド棒１６ａ，１６ｂに引っ掛りにくくなっている。
【００７９】
従って、上記実施の形態１のように縫合糸１７ａ，１７ｂを第１中空穿刺針１４ａ，１４ｂの先端から送り出さなくても、引抜具３０を後方に引っぱるだけで、縫合糸１７ａ，１７ｂを第１中空穿刺針１４ａ，１４ｂから第２中空穿刺針１５ａ，１５ｂの方に引き込むことも可能である。
（変形例）
上記実施形態では、第１中空穿刺針１４ａ，１４ｂの内部空間に挿通体１８ａ，１８ｂを収納した状態で、腹壁６０及び胃壁６１を穿刺したが、第１中空穿刺針１４ａ，１４ｂに挿通体１８ａ，１８ｂを未収納の状態で、腹壁６０及び胃壁６１を穿刺し、その後、第１中空穿刺針１４ａ，１４ｂの後端から挿通体１８ａ，１８ｂを挿入してもよい。この場合、挿通体１８ａ，１８ｂが第１中空穿刺針１４ａ，１４ｂの内部を後端から前端まで通過できるようにしておく必要がある。
【００８０】
上記実施形態では、第１中空穿刺針１４ａ，１４ｂの先端で折り曲げ部１７１を開いて棒状の挿通体１８ａ，１８ｂを回転させることによって、挿通体１８ａ，１８ｂを吸着体３３ａ，３３ｂに接近させる機構を設けたが、第２中空穿刺針１５ａ，１５ｂ内を通過でき、吸着体３３ａ，３３ｂに接近させることができるものであれば、挿通体１８ａ，１８ｂの形状は特に限定されず、例えば、縫合糸１７ａ，１７ｂにおける折り曲げ部１７１の先に球状の挿通体１８ａ，１８ｂを取り付けてもよい。
【００８１】
また、上記実施形態では、挿通体１８ａ，１８ｂと吸着体３３ａ，３３ｂを接近させるために、縫合糸１７ａ，１７ｂに折り曲げ部１７１を設けたが、スライド棒１６ａ，１６ｂの前端部分が第１中空穿刺針１４ａ，１４ｂの先端から突出できるようにし、その前端部分が第２中空穿刺針１５ａ，１５ｂに近づく方向に屈曲するように、スライド棒１６ａ，１６ｂを予め折り曲げ加工を施しておけば、縫合糸１７ａ，１７ｂに折り曲げ部１７１を設けなくても、挿通体１８ａ，１８ｂと吸着体３３ａ，３３ｂを接近させることができる。
【００８２】
或は引抜具３０において、その前端部分が第２中空穿刺針１５ａ，１５ｂの先端から押し出されたときに、吸着体３３ａ，３３ｂが第１中空穿刺針１４ａ，１４ｂに近づく方向に屈曲するように予め折り曲げしておいても、同様に、縫合糸１７ａ，１７ｂに折り曲げ部１７１を設けなくても、挿通体１８ａ，１８ｂと吸着体３３ａ，３３ｂを接近させることができる。
【００８３】
また、第１中空穿刺針１４ａ，１４ｂと第２中空穿刺針１５ａ，１５ｂとを、先端どうしが互いに接近する方向に傾斜させた状態でホルダ部１２に取り付けておけば、第１中空穿刺針１４ａ，１４ｂの先端から挿通体１８ａ，１８ｂを直線的に押し出すと共に第２中空穿刺針１５ａ，１５ｂの先端から吸着体３３ａ，３３ｂを直線的に押し出すだけで、両者を接近させることができる。
【００８４】
上記実施形態では、中空穿刺針１４ａ，１４ｂ，１５ａ，１５ｂの前端を鋭利に形成したが、中空穿刺針１４ａ，１４ｂ，１５ａ，１５ｂの前端を鋭利になくても、挿通体１８ａ，１８ｂの基端部（切欠金属チューブ１８１の基端部１８５）や吸着体３３ａ，３３ｂの先端部を鋭利に形成すれば、これらを中空穿刺針１４ａ，１４ｂ，１５ａ，１５ｂの前端から突出させた状態で腹壁６０及び胃壁６１を穿刺することができる。
【００８５】
上記実施形態では、挿通体１８ａ，１８ｂ及び吸着体３３ａ，３３ｂに磁石を用いたが、両者を磁性体で形成し、いずれか一方だけに磁石を用いてもよい。
また、磁石の代わりに、挿通体１８ａ，１８ｂ及び吸着体３３ａ，３３ｂに、互いに極性の異なる静電気を帯電させることのできる部材を用いてもよい。その場合、挿通体１８ａ，１８ｂと吸着体３３ａ，３３ｂとは静電気により互いに引っ張り合うので、磁石の場合と同様に、挿通体１８ａ，１８ｂと吸着体３３ａ，３３ｂとを接近させるだけで、挿通体１８ａ，１８ｂを吸着体３３ａ，３３ｂに吸着させることができる。
【００８６】
上記実施形態では、胃壁固定具１に安全支持機構４０が設けられていたが、本発明において、安全支持機構４０は必須ではない。
また、上記実施形態では、胃壁固定具１では、中空穿刺針１４ａ，１４ｂ，１５ａ，１５ｂがホルダ部１２で保持されていたが、本発明において必ずしも中空穿刺針がホルダーで保持されている必要はなく、例えば、中空穿刺針１４ａ，１４ｂ，１５ａ，１５ｂを個別に腹壁及び胃壁に穿刺しても、同様に、挿通体１８ａ，１８ｂを吸着体３３ａ，３３ｂに吸着させて、縫合糸１７ａ，１７ｂを第１中空穿刺針１４ａ，１４ｂから第２中空穿刺針１５ａ，１５ｂに送り込むことができる。
【産業上の利用可能性】
【００８７】
本発明にかかる生体用縫合具及び生体用縫合方法は、胃瘻用カテーテルを装着する際などに、縫合糸で腹壁と胃壁とを縫合するのに適している。
【図面の簡単な説明】
【００８８】
【図１】実施の形態にかかる胃壁固定具の外観斜視図である。
【図２】本体部１０を第１中空穿刺針１４ａ及び第２中空穿刺針１５ａを含む平面に沿って切断した断面を示す断面図である。
【図３】縫合糸１７ａの先端に付けられた挿通体１８ａの構成を示す斜視図である。
【図４】挿通体１８ａの断面図である。
【図５】引抜具３０に取り付けられた吸着体３３ａの断面図である。
【図６】胃壁固定具１の断面図である。
【図７】中空穿刺針を穿刺する穿刺ステップを説明する図である。
【図８】縫合糸を第１中空穿刺針から第２中空穿刺針に送り込むステップを説明する図である。
【図９】縫合糸を第１中空穿刺針から第２中空穿刺針に送り込むステップを説明する図である。
【図１０】切欠金属チューブに形成されたスリットの機能を説明する図である。
【図１１】スライド板２３の機能を説明する図である。
【図１２】中空穿刺針を抜くステップを説明する図である。
【図１３】実施の形態２にかかるスライド棒１６ａの先端部にはめ込まれた弾性管状部材１６１を示す斜視図である。
【図１４】実施の形態２にかかる縫合糸送り込みステップを説明する図である。
【符号の説明】
【００８９】
１    胃壁固定具
１０    本体部
１１    保持筒
１２    ホルダ部
１４ａ，１４ｂ，１５ａ，１５ｂ  中空穿刺針
１６ａ，１６ｂ  スライド棒
１７ａ，１７ｂ  縫合糸
１８ａ，１８ｂ  挿通体
１９ａ，１９ｂ  ヘッド部材
２０    糸送り機構
２２ａ，２２ｂ  中空細管
２３    スライド板
３０    引抜具
３３ａ，３３ｂ  吸着体
４０    安全支持機構
４１    支持棒
４２    押当カバー
４３    弾性体
４８    凹部
５２ａ，５２ｂ  把持弁体
１６１    弾性管状部材
１７１    折り曲げ部
１８１    切欠金属チューブ
１８２    磁石
１８６    スリット
２３１    薄板
２３２ａ，２３２ｂ  把持弁体
３３２    磁石
４７１    爪部
【図１】
2006025932.tif 000003
【図２】
2006025932.tif 000004
【図３】
2006025932.tif 000005
【図４】
2006025932.tif 000006
【図５】
2006025932.tif 000007
【図６】
2006025932.tif 000008
【図７】
2006025932.tif 000009
【図８】
2006025932.tif 000010
【図９】
2006025932.tif 000011
【図１０】
2006025932.tif 000012
【図１１】
2006025932.tif 000013
【図１２】
2006025932.tif 000014
【図１３】
2006025932.tif 000015
【図１４】
2006025932.tif 000016